(57)【要約】【課題】、暗いところでも絵や文字を描くことができるとともに、描いたものが光で表示され他の人にインパクトのあるメッセージを伝えることのできる光表示パネルを提供すること。【解決手段】玩具本体１は内部に配置した光源５の光を遮光する遮光パネル２と、該遮光パネル２の上面に離反可能に重合する表示パネル３とを備え、上記表示パネル３には多数の孔３３が形成されるとともに、該孔３３には棒状の透光部材３５が上下に移動可能に配置され、上記遮光パネル２は上記表示パネル３の孔３３に対応する位置に孔２３が形成され、該孔２３は弾性を有する遮光体２２で塞がれるとともに遮光体２２には上記透光部材３５を押下した時、該透光部材３５の下端が貫通する貫通部２４が形成され、押下された透光部材３５の下端面は遮光パネル２の下方に突出するようにした。【選択図】　　　　図２
2004008392.tif 000002
【特許請求の範囲】
【請求項１】
以下の要件を備えることを特徴とする光表示パネル玩具。
（イ）玩具本体は内部に配置した光源の光を遮光する遮光パネルと、該遮光パネルの上面に離反可能に重合する表示パネルとを備えること
（ロ）上記表示パネルには上記光源の光を通過させる多数の孔が形成されるとともに、該孔には棒状の透光部材が上下に移動可能に配置されていること
（ハ）上記遮光パネルは上記表示パネルの孔に対応する位置に孔が形成され、該孔は弾性を有する遮光体で塞がれていること
（二）上記遮光体には上記透光部材を押下した時、該透光部材の下端が貫通する貫通部が形成され、押下された透光部材の下端面は遮光パネルの下方に突出し、下端面に照射された光は上記透光部材を通って、該透光部材の上端面から照射されること
【請求項２】
前記表示パネルは所定間隔をおいて重合する２枚のパネルからなり、前記透光部材を表示パネルの孔に挿通するように円柱状に形成するとともに中央部には抜け止めが形成されている、請求項１記載の光表示パネル玩具。
【請求項３】
前記透光部材の下端面は平坦に、上端面は半球状に形成されている、請求項１又は２記載の光表示パネル玩具。
【発明の詳細な説明】
【０００１】
【発明の属する技術分野】
本発明は、光表示パネル玩具に関する。
【０００２】
【従来の技術】
従来、一旦描いた絵や文字を消去して、新たな絵や文字を描くことができる様々な表示パネルが提案され実用に供されている。特に、色ペンを用いることなく先端に磁石を設けたペンでパネルの内部の磁性粉を上面側に吸い上げて絵や文字を表示させるものや、粘着性のシートの表面に半透明のシートを重ね合わせ棒状のペンで半透明のシートの上をなぞって粘着性のシートと半透明のシートとを粘着させた部分で絵や文字を表示することができるようになっているものが実用化されている。
【０００３】
【発明が解決しようとする課題】
しかしながら、従来の表示パネルは絵や文字を描くことはできるが、暗いところでは見えないし、他の人にメッセージを伝える場合も、インパクトにかけるものであった。
【０００４】
本発明は上記問題点を解消し、暗いところでも絵や文字を描くことができるとともに、描いたものが光で表示され他の人にインパクトのあるメッセージを伝えることのできる光表示パネルを提供することをその課題とする。
【０００５】
【課題を解決するための手段】
前記課題を解決するため、本発明に係る光表示パネル玩具は、以下の要件を備えることを特徴とする。
（イ）玩具本体は内部に配置した光源の光を遮光する遮光パネルと、該遮光パネルの上面に離反可能に重合する表示パネルとを備えること
（ロ）上記表示パネルには上記光源の光を通過させる多数の孔が形成されるとともに、該孔には棒状の透光部材が上下に移動可能に配置されていること
（ハ）上記遮光パネルは上記表示パネルの孔に対応する位置に孔が形成され、該孔は弾性を有する遮光体で塞がれていること
（二）上記遮光体には上記透光部材を押下した時、該透光部材の下端が貫通する貫通部が形成され、押下された透光部材の下端面は遮光パネルの下方に突出し、下端面に照射された光は上記透光部材を通って、該透光部材の上端面から照射されること
【０００６】
なお、前記表示パネルは所定間隔をおいて重合する２枚のパネルからなり、前記透光部材を表示パネルの孔に挿通するように円柱状に形成するとともに中央部には抜け止めが形成されていればよい。
【０００７】
そして、前記透光部材の下端面は平坦に、上端面は半球状に形成されていることが好ましい。
【０００８】
【発明の実施の形態】
図１は本発明に係る光表示パネル玩具の斜視図、図２は光表示パネル玩具の分解斜視図を示し、この光表示パネル玩具は装置本体１の上面に遮光パネル２が嵌め込まれ、表示パネル３が装置本体１の後部に設けられた軸支部４に上下に回動可に軸支され、表示パネル３を手前に倒すと遮光パネル２の上に表示パネル３が重なるようになっている。なお、装置本体１の上面には筆記具４０、４２を収容する収容凹部４３、４４が形成されている。
【０００９】
装置本体１の内部には、図３に示すように、光源である電球５が配置され、この電球５の光はフィルター６を透過した後、反射板７で反射して遮光パネル２の裏面を照射するようになっている。
【００１０】
上記フィルター６は、図４に示すように、透明な円板の周面にギヤ８が連続して形成されるとともに、上面に円形のカラーフィルム９が貼着されている。このカラーフィルム９は周方向に４等分され、各領域９ａ〜９ｄに対応してそれぞれ異なる色（例えば、青、黄、緑、赤）が印刷されている。このフィルター６は装置本体１の前面から一部が露出した駆動歯車１０を回すことにより、歯車１１、１２を介して回転させることができ、電球５に対応した領域９ａ〜９ｄの色で光が照射されるようになっている。
【００１１】
なお、本発明では回路図を省略しているが、上記電球５はスイッチ１３を介して電池１４に接続され、スイッチ１３をＯＮ／ＯＦＦすれば電球５が点灯／消灯するようになっている。
【００１２】
遮光パネル２は、図５（ａ）、図６（ａ）に示すように、２枚のパネル２１、２１と、２枚のパネル２１、２１の間に挟持される遮光体２２とからなり、パネル２１にはそれぞれ前後左右に等間隔に多数の孔２３が形成され、２枚のパネル２１、２１を重ねたときには上側のパネル２１の孔２３と、下側のパネル２１の孔２３とは全て対向するようになっている。
【００１３】
遮光体２２は透光性のない薄いゴム板で構成され、孔２３から露出する部分の遮光体２２には貫通部２４が形成されている。この貫通部２４は十字状の切込みで構成され、後述する透光部材３５を上方から押し込むと透光部材３５の下端が貫通部２４を貫通して遮光パネル２の裏面に突出するようになっている（図６（ｂ）参照）。
【００１４】
表示パネル３は、図５（ｂ）に示すように、上表示パネル３１と下表示パネル３２とを所定間隔をおいて重合させたもので、上表示パネル３１と下表示パネル３２とには前後左右に等間隔に多数の孔３３、３４が形成され、上表示パネル３１と下表示パネル３２とを重合したときに上表示パネル３１の孔３３と下表示パネル３２の孔３４とが全て対向するようになっている。この孔３３、３４は、表示パネル３を遮光パネル２に重なるように倒したとき、遮光パネル２の孔２１の位置に対応するように形成されている。
【００１５】
上記表示パネル３の全ての孔３３、３４には透光部材３５が配置されている。この透光部材３５はアクリル樹脂などの透光性を有する透明な樹脂で表示パネル３の孔３３、３４よりもやや小さな径の円柱状に形成され、半球状に形成された上端３５ａは上表示パネル３１の上面から上方に突出し、平坦に形成された下端３５ｂは下表示パネル３２の裏面から下方に突出するとともに、周面の一部は膨出して抜け止め用の鍔部３６が形成され、表示パネル３の孔３３、３４から抜けないようになっている。
【００１６】
この透光部材３５は、表示パネル３を遮光パネル２に重ねたときには下端面が遮光体２２に当接した状態で安定し、透光部材３５が押し込まれて貫通部２４を貫通するまで遮光体２２による遮光状態は維持されている。（図６（ａ）参照）。
【００１７】
上記透光部材３５を棒状の筆記具４０、直線を書くのに適した先端にローラ４１が取り付けられた筆記具４２（図１参照）で上から押圧すると下端３５ｂが遮光体２２の貫通部２４である切込みを貫通して遮光パネル２の裏面から下方に突出することになり、光源５の光は透光部材３５を通って半球状に形成された上端３５ａから外部に照射され、押下された透光部材３５は光点を形成することになる。
【００１８】
押し下げられた透光部材３５を復帰させる場合は、表示パネル３の手前を持ち上げて上方に回動させればよい。全ての透光部材３５は遮光体２２の貫通部２４から外れてフリーな状態になるが、透光部材３５には抜け止め３６が形成されているので表示パネル３から抜け落ちることはない。
【００１９】
再度、表示パネル３を遮光パネル２に重ねたときには、全ての透光部材３５の下端３５ｂは遮光体２２の上面に当接した状態になるので、光源５の光は全て遮光体２２で遮断され、透光部材３５には光が到達しないので透光部材３５の上端３５ａから光が照射されることはなく、光点で形成された文字や絵は消去されたことになる。
【００２０】
次に、上記光表示パネル玩具の使用態様について説明する。
【００２１】
先ず、表示パネル３を起こして（軸支部４を中心に上方に回動）、全ての透光部材３５を遮光体２２の貫通部２４から引き抜いた後、再び表示パネル３が遮光パネル２に重なるように倒す（軸支部４を中心に下方に回動）。
【００２２】
全ての透光部材３５は、自重では遮光体２２の貫通部２４を貫通することはできないので遮光体２２の表面に載った状態で安定し、透光部材３５は表示パネル３の内部を上方に押し上げられ上端部は表示パネル３の上面から上方に突出した状態になっている（図６（ａ）参照）。
【００２３】
次に、筆記具で透光部材３５を押し下げると、押し下げられた透光部材３５は下端が遮光体２２の貫通部２４を貫通し、遮光パネル２の下面から下方に突出する（図６（ｂ）参照）。押し下げられた透光部材３５の下端にはフィルター６を透過した電球５の光が照射されるので、光は透光部材３５を通過して透光部材３５の上端面３５ａから上方に照射され光点ａを形成する。所定のパターンで透光部材３５を押し下げると、押し下げられた透光部材３５は全て光点ａとなり発光して大きく見えるので、電光掲示板のように文字や絵を光で表示することができる（図７参照）。
【００２４】
一旦、描いた文字や絵を消去する場合は、表示パネル３を引き上げるように上方に回動すればよい。表示パネル３を引き上げると透光部材３５は鍔部３６の径が下表示パネル３２の孔３４の径よりも大きいので、孔３４から抜け落ちることなく表示パネル３とともに持ち上げられて遮光体２２の貫通部２４から抜ける。一旦引き上げた表示パネル３を倒して再び遮光パネルに重ねると、透光部材の下端面は遮光体の上面に当接するが、自重では遮光体を貫通することはできないので、透光部材は遮光体の上面に載った状態で維持されることになり、電球の光は遮光体で遮光され透光部材に到達しないので全ての透光部材は光を照射することができず、結果として文字や絵は消去された状態になる。
【００２５】
上述のように、透光部材を押し下げれば、押し下げられた透光部材が発光し、押し下げられない透光部材は発光しないので、発光した透光部材で電光掲示板のように文字や絵を表示することができ、文字や絵の消去も表示パネルを起こすだけの作業で簡単に消去することができ、繰り返し描画、消去を行なうことができる。しかも、描画が光で構成されるので、暗いところでも文字や絵を描くことができるとともに、フィルターを操作することにより光の色を変えることができ、描いた文字や絵の色を自由に変えることができる。
【００２６】
【発明の効果】
請求項１の発明によれば、表示パネルに設けた透光部材を押下すると、透光部材の下端は遮光パネルを貫通し、光源の光に照射されるので、光源の光は透光部材を通って上端部から光を照射する光点となるので、所望のパターンで透光部材を押下すれば電光掲示板のように光点で文字や絵を表示することができ、描いた絵や文字が発光して見えるのでインパクトのあるメッセージを表示できる。
【００２７】
請求項２の発明によれば、表示パネルを所定間隔をおいて重合する２枚のパネルで構成し、透光部材の中央部には抜け止めを形成したので、表示パネルを起こして透光部材を遮光体の貫通部から引き上げた際、透光部材は抜け止めで表示パネルから抜け落ちることがない。
【００２８】
請求項３の発明によれば、透光部材を通過した光は上端から拡散して照射されるので、正面以外でも描いた文字や絵を視認することができる。
【図面の簡単な説明】
【図１】本発明に係る、光表示パネル玩具の斜視図
【図２】上記光表示パネル玩具の分解斜視図
【図３】上記光表示パネル玩具の要部断面図
【図４】フィルターの構成を説明する斜視図
【図５】（ａ）（ｂ）は遮光パネル及び表示パネルの分解斜視図
【図６】（ａ）（ｂ）は表示パネルと遮光パネルとの関係を説明する要部断面図
【図７】表示パネルに表示された絵の説明図
【符号の説明】
１　玩具本体
２　遮光パネル
３　表示パネル
５　光源
２２　遮蔽体
２４　貫通部
３５　透光部材
【図１】
2004008392.tif 000003
【図２】
2004008392.tif 000004
【図３】
2004008392.tif 000005
【図４】
2004008392.tif 000006
【図５】
2004008392.tif 000007
【図６】
2004008392.tif 000008
【図７】
2004008392.tif 000009